(57)【特許請求の範囲】
【請求項１】
足の踵から脹脛にかけた部分をその上面に乗せる足載板１とこの足載板１の下面に突き出して設けられ、この足載板１のシーソー支軸となるシーソー台２と、前記足載板１の上面で前記シーソー台２より後方でその位置を前後に調整可能なように凸設して設けられ、シーソー操作を補助するシーソー補助部材１０とからなる足載台Ａと、この前記足載板１の前部に設けた受け支え孔８に、足刺激部材Ｂを直立して着脱自在に嵌挿できる足刺激部材Ｂを構成する台板１００に設けられた嵌合部１２を差し込むことにより、足のサイズによる高さ調整も台板１００の両端部を両足で挟み嵌合部１２が受け支え孔８の中を自在に上下の操作が可能な構造となり、足の指先で回転させたり足裏を押し当てて回転させたりする表面に凹凸を有する左右一対の回転ローラー１５，１５と、この左右一対の回転ローラー１５，１５の夫々内側の一端を軸支するとともにこの回転ローラー１５，１５の外形よりも手前に長く突き出して立設された外反母趾矯正棒１４，１４が少なくとも足の左右の親指が２本入る間隔を隔てて設けられている足刺激部材とからなり足を伸ばした状態で足裏、足指を前記足刺激部材Ｂに当てがった状態で足の踵から脹脛にかけた部分を前記足載板１の上に乗せて前記回転ローラー１５，１５で足裏、足指を部分刺激し前記外反母趾矯正棒１４，１４を親指と第二指間に挟んで外反母趾矯正運動すると共に、前記足載板１をシーソーさせて足首のストレッチと脹脛の揉み解しを行うことを特徴とする下肢健康器具。
【発明の詳細な説明】
【技術分野】
【０００１】
本考案は、特にアキレス腱のストレッチ運動、外反拇趾の矯正、足指の運動、足裏の
指圧を床に足を伸ばした状態で座り、下肢の筋肉を可能な限り緊張させること無く、精神的にもリラックスした状態で使用する下肢健康機器に関する。
【背景技術】
【０００２】
従来の下肢健康器具で、床に足を伸ばした状態で使用するものとして、バスタブに取
り付けて、浴槽に寝そべって使用するものがあるが、このものは足裏を指圧する指圧具が踵側を支点として先端部がバネの力で反り返るようになっていて、足裏つま先側でバネ力に抗してその指圧具を踏み込むことによって指圧、アキレス腱のストレッチ等を同時に行う構造となっている（例えば、特開文献１参照）。
【０００３】
したがって、使用時には何時もバネ力に抗する筋力を使用するために筋肉が緊張状態に
あること、及び器具が移動しないように押し当てる壁面が無ければ使用できないという使用場所に制限があること、等の欠点がある。
【０００４】
また、この使用場所に制限があるという欠点を補うものとして、布団の中に置いて（必ずしも布団の中でなくとも良く、使う場所の制限が無いものと看做して考える）足先を暖める機能を有し、寝た状態で足裏を当てがってその足裏のツボ指圧を行うものがある（例えば、特許文献２参照）。
【０００５】
しかしながら、この使用状態では、足裏のツボ指圧を行う度に器具が後方に移動して
しまうという欠点がある。
【特許文献１】特開２０００-１９７６８４号公報
【特許文献２】特開２００２-３３６０８５号公報
【発明の開示】
【発明が解決しようとする課題】
【０００６】
本考案は以上のような従来の欠点に鑑み、何時でも、何処でも使用でき、足裏を押し当てても後方にずれることが無く、かつ、アキレス腱のストレッチ運動、外反拇趾の矯正、足指の運動、足裏の指圧等を床に足を伸ばした状態で、足の踵から脹脛を載せて使用することにより、下肢の筋肉を可能な限り緊張させること無く、精神的にもリラックスした状態で使用できる、下肢健康機器を提供することを目的とする。
【０００７】
本発明の前記ならびにそのほかの目的と新規な特徴は次の説明を添付図面と照らし合わせて読むと、より完全に明らかとなるであろう。
ただし、図面はもっぱら解説のためのものであって、本発明の記述的範囲を限定するものでない。
【課題を解決するための手段】
【０００９】
また、この発明は、足の踵から脹脛にかけた部分をその上面に乗せる足載板１と、この足載板１の下面に突出して設けられ、この足載板１のシーソー支軸となるシーソー台２と、前記足載板１の上面で前記シーソー台２より後方でその位置を前後に調整可能なように凸設して設けられ、シーソー操作を補助するシーソー補助部材１０とからなる足載台Ａと、この足載台Ａの前部に高さ調整可能な構造で立設されて、足の指先で回転させたり、足裏を押し当てて回転させたりする表面に凹凸を有する左右一対の足用回転ローラー１５，１５と、この左右一対の回転ローラー１５，１５の夫々内側の一端を軸支するとともにこの回転ローラー５の外形よりも高く突き出して立設された外反拇趾矯正棒１４，１４が少なくとも足の左右の親指が２本入る間隔を隔てて設けられている足刺激部材Ｂとからなり足を伸ばした状態で、足裏・足指を前記足刺激部材Ｂに当てがった状態で足の踵から脹脛にかけた部分を前記足載板１の上に乗せて、前記回転ローラー１５，１５で足裏・足指を部分刺激し、前記外反拇趾矯正棒１４，１４を親指と第二指間に挟んで外反拇趾矯正運動をすると共に、前記足載板１をシーソーさせて足首のストレッチと脹脛の揉み解しを行うことができるように構成した下腿健康器具である。
【発明の効果】
【００１０】
以上の説明から明らかなように、この発明にあっては次に列挙する効果が得られる。
（１）刺激部材を足裏で押したり、操作しても足載板がシーソーして傾斜することによって、足載台Ａを後方に押しやる作用力が分力し、足載台Ａが後方（押した方向）にずれることが無い。
（２）治療する側の足裏を刺激部材に当てがって、この当てがった方の下肢全体の筋肉をリラックスさせた状態で、他方の足の踵と脹脛で足載台Ａをシーソーさせることによって、当てがっている足裏に刺激部材が押圧作用を繰返すので、器具が後方にずれることが無
いばかりでなく、治療師に治療してもらっているがごとくに、治療している側の下肢全体の力が抜けたリラックスした状態で足首の運動と、足指、足裏の所望の治療と、脹脛の全体的揉み解しとができるので血行が促進され、疲労回復の治療効果が高い。
（３）電気を使うことも無く、壁に掛けたり持たせ掛けたりする必要も無く、騒音を生じることも無く、老若男女の制約も無く、構造が単純にして取り扱いが簡単である等のことから何時でも、何処でも安心して使用する事ができる。
（４）血行が良くなった状態で、外反拇趾矯正棒を親指と第二指間に挟んで外反拇趾矯正運動を行うので、外反拇趾の治療効果が高い。
（５）シーソー補助部材によって、シーソー操作が楽に行えると共に、このシーソー補助部材に当たる脹脛の奥（内部）にある筋をも揉み解すことができるので、血行の促進と疲労回復の効果は一段と高まる。
（６）足裏刺激部材Ｂの高さ調整及びシーソー補助部材の前後位置調整ができるので誰が使おうともその使う人に最適な条件設定ができるし、その日の気分によって治療する位置を自在に調整することができる。
【発明を実施するための最良の形態】
【００１１】
本考案の下肢健康器具は足載台Ａとこの足載台Ａの先端部に着脱自在に設けられた足刺激部材Ｂとからなっている。
【００１２】
足載台Ａは、足載板１とこの足載板１の下面でそのほぼ中央に設けられたシーソー台２と足載板１の後方に設けられた調節孔１３１に取り付けられるシーソー補助部材１０とからなっている。
【００１３】
足載板１は、その先端部に足刺激部材Ｂを着脱自在に取り付けるための受け支え孔８が設けられていて、その前後の上・下面には補強用の当て板９、９が備えられている。下面ほぼ中央の両端にはシーソー台２を軸支する軸受け板３１，３１が設けられている。
【００１４】
シーソー台２は裏面に滑り止め６（例えばゴム、フェルト等）を有し、両端面にそれぞれ軸受け孔４２，４２を有した支柱５からできているもので足載板１の下面に設けられた軸受け板３１，３１に軸棒７，７で軸支される。尚、支軸の高さ調節のために軸受け板３１には軸受け孔４１，４１が上下に設けられている。
【００１５】
シーソー補助部材１０は下面に足載板１の調節孔１３１に嵌挿される突起部１１が設けられていて、上面には脹脛を心地よく刺激する山形の凸部が設けられているものである。
【００１６】
足刺激部材Ｂを構成する台板１００の上部には、左右対称の位置に軸受け孔４３を有した外反拇祉矯正棒１４，１４を備えていて、その外側の両端には軸受け孔４４を有した軸受け板３２，３２が配置されている。１５は回転軸を有した回軸ローラで、その外周には縦状の溝を程よい間隔で施してあり、この回転ローラー１５を前記外反拇祉矯正棒１４，１４間に１本を軸支し、更に左右の外反拇祉矯正棒１４と軸受け３２間に、それぞれ1本ずつの回転ローラ１５を八字状に軸支し足指を満遍なく当てて刺激するように形成してある。
【００１７】
また、台板１００の中央面には、刺激部材１７を嵌挿するための調節孔１３２を縦の長孔状に設け、その下部には凸状に形成した嵌合部１２を足載板１の受け支え部８に直立して組み入れるように構成している。
【００１８】
１９は指圧棒であり、この指圧棒１９の形状は、なるべく人の手の指に近づけるために先端部がやや尖った程よい長さに形成されており、別体に控えた支点孔１８を有する刺激部材１７に左右の上段と下段に一対ずつ配列されている。(図５参照)
【００１９】
一方、台板１００の中央面に刺激部材１７を装着するための調節孔１３２を縦の長孔状に設けてあり、支点孔１８から調節孔１３２をネジ２０で介しナット２１で自在に回転できる程度に螺合してある。
【００２０】
次に使用方法を説明する。
先ず、足刺激部材Ｂを構成する台板１００の嵌合部１２を受け支え孔８に直立して組み入れた足載板１に臀部を床面に当て両足を伸ばし踵を立てた状態から、回動ローラー１５を使用者の足の指裏の付け根に合わせるために、台板１００の両端を両足で挟み、嵌合部１２が受け支え孔８に嵌挿できる縦幅７−１０cmのうちの３−５cmの範囲内で自在に上下調整ができる。
【００２１】
、
次いで支点となるシーソー台２に支えられた足載板１に、両足を乗せ踵を立てた状態で、足刺激部材Ｂに足裏と足指の付け根を押し当てると、力点となる足載板１の後部が脹脛に押され沈むと、作用点になる足刺激部材Ｂが反動で浮こうとするも、当てがってある足裏と足指の付け根に阻止され拮抗することによって生じたエネルギーが刺激となって足裏に伝える。
【００２２】
以上のようなシーソー機能を備えた下肢健康器具を更に充実させ効果を高めるために取り入れたシーソー補助部材１０を、先ず、足裏の刺激とアキレス腱のストレッチを対象とした場合においては、シーソー補助部材１０を脹脛の中央エリアに位置する腓腹筋に当たるように、調整孔１３１の後部にクロスして挿通したら次いで指圧棒１９と一体の刺激部材１７を両足の所望のツボに平行して合わせたら、アキレス腱を張った状態で腓腹筋を支点にして刺激を与えながら指圧棒１９に押し付ける。(図６参照)
【００２３】
また、シーソー補助部材１０を、足の指裏の付け根のストレッチ及び外反拇祉の矯正において有効に使用するには、先ず、シーソ−補助部材１０を脹脛の下部エリアに位置するヒラメ筋に当たるように、調節孔１３１の前部にセットし、次いで回転ローラー１５に両足の指裏を当て外反拇祉矯正棒１４に親指と第２指を全開して挟んだ状態から、ヒラメ筋を支点にして刺激を与えながら回転ローラー１５を両足の指裏で交互に転がす事によって凹凸による刺激とともに、腱を伸ばす効果を生み、連られて親指と第２指も一体となり嵌挿出を繰り返し、また、外反拇祉矯正棒１４を挟んだ両親指をそれぞれ外側に広げると一層矯正効果が高まる。（図７参照）
【００２４】
シーソー補助部材１０は、勿論のこと使用者の好みによっては使用せずに調節孔１３１に添え縦状に控え置き、脹脛を直かに足載板１に当てることもできる。
【００２５】
また、指圧棒１９を上段と下段に配列した刺激部材１０は、足の指裏の付け根と失眠を中心とした踵ゾーンのツボを刺激する場合においては、指圧棒１９の上下の配列の間隔が広い縦長の面を平行にセットし、一方、足心泡及び湧水を主にした土踏まずゾーンを刺激する場合においては、指圧棒１９の上下の間隔が狭い横長の面を平行にセットすることによって、左右のツボの4ヵ所を同時に効率良く刺激することができる。
【００２６】
しかもまた、ツボが集中する足裏は、起伏があり、皮膚が硬い層と軟らかい層があるにもかかわらず、柔軟に対応できるように指圧棒１９を配列した刺激部材１０を所望の位置へ的確に導くとともに、押し付けの強弱によるコントロール次第では、ツボの芯まで浸透する心地よい痛みを享受することもできる。
【００２７】
尚、使用者の体形の違いや、好みにより臀部に敷物を当てることによる支軸の高さの調整は、軸受板３１，３１の上下に備えてある軸受孔４１，４１から選択できる。
【００２８】
次に、静脈瘤の予防と軽減に対する使い方を説明する。
とりわけ、立仕事を生業とする人においては、一様に長い間立つことによる脚がだるくなり、むくんで脚が痛くなる悩みを抱えている。依ってこの悩みを解消するには、脹脛の中央ラインに並んでいる承山、承筋のツボを刺激することが血流の循環を促し、延いては静脈血の逆流とうっ血を防止する最善策と云われる。こうした点に着目した本下肢健康器具において、シーソー補助部材１０に当てた脹脛の重みによるほど良い刺激によって血流を促進するとともに、指圧棒１９による足ツボの押し当てと合わせ複合的効果ももたらす。
【００２９】
次にアキレス腱及び足指の腱を伸ばすストレッチに対する効果的な使用方法を説明する。
先ず、回転ローラー１５に当てがう足指の反りの角度を大きくするために、刺激部材１７を台板１００から外して控え置き、シーソー補助部材１０を調節孔１３１の最後部にセットする。次いで両足を足載板１に伸ばしアキレス腱を張った状態で左右の足指を揃えて回転ローラー１５に当てがい、足指の付け根から指先にかけて交互に回転を繰り返すことによって血流を促すとともに日頃は縮みかちな足指の腱とアキレス腱を心地よい体感を味わいながら伸ばすことができる
【産業上の利用可能性】
【００３０】
。
本考案は、下肢健康器具を作る産業で利用することができる。
【図面の簡単な説明】
【００３１】
【図１】下肢健康器具の斜視図である。
【図２】下肢健康器具の構成を示す分解図である。
【図３】外反拇祉矯正棒に、回転ローラーを軸支した部分組立て図である。
【図４】シーソー台に支えられた足載板に踵を立て外反拇祉矯正棒に親指と第２指を挟んだ断面図である。
【図５】刺激部材に指圧棒を立設した斜視図である。
【図６】シーソー補助部材に、脹脛の腓腹筋を当てた状態を示す使用図である。
【図７】シーソー補助部材に、脹脛のヒラメ筋を当てた状態を示す使用図である。
【符号の説明】
【００３２】
Ａ足載台            ６滑り止め          １７刺激部材
Ｂ足刺激部材        ７軸棒              １８支点孔
１足載板            ８受け支え孔        １９指圧棒
１００台板          ９当て板            ２０ネジ
２シーソー台      １０シーソー補助部材  ２１ナット
３１軸受板        １１突起部            ２２足
３２軸受板        １２嵌合部            ２３脹脛
４１軸受孔        １３１調整孔          ２４足裏
４２軸受孔        １３２調整孔          ２５親指
４３軸受孔        １４外反拇祉矯正棒    ２６第２指
４４軸受孔        １５回転ローラー
５支柱          １６回転軸
【要約】      （修正有）【課題】アキレス腱のストレッチ運動、外反拇趾の矯正、足指の運動、足裏の指圧等を床に足を伸ばした状態で、下肢の筋肉を可能な限り緊張させること無く、精神的にもリラックスした状態で使用できる、下肢健康機器を提供する。【解決手段】足の踵から脹脛にかけた部分を乗せる足載板１とこの足載板１の下面に突出して設けられたシーソー台２とからなる足載台Ａと、この足載台Ａの前部に立設され、表面に突出した刺激部材を備えた足裏刺激部材Ｂと、からなり足裏・足指を前記刺激部材にあてがった状態で足の踵から脹脛にかけた部分を前記足載板１の上に乗せて、足裏・足指を部分刺激すると共に、前記足載板１をシーソーさせて足首のストレッチと脹脛の揉み解しを行うことができるようにした下肢健康器具。【選択図】図１【図１】
0004338101.tif 000002
【図２】
0004338101.tif 000003
【図３】
0004338101.tif 000004
【図４】
0004338101.tif 000005
【図５】
0004338101.tif 000006
【図６】
0004338101.tif 000007
【図７】
0004338101.tif 000008